(57)【要約】      （修正有）【課題】大型道路標識柱の基礎アンカーボルト部バリアフリー化の実現と容易な点検作業ができる装置の提供【解決手段】  手段として、ボックスをアンカーボルト部に設置する。ボックスの構造はコンクリート基礎部に突出するアンカーボルト部をすべて収納できるサイズのものであり、箱型の２分割筐体を標識支持柱設置後にコンクリート基礎上面にボルト止めする。  箱型筐体上面には２分割式の蓋をビス止めし支柱との隙間防止のためにゴム製の押さえ板をビス止めする。【選択図】図１
0003116364.tif 000002
【実用新案登録請求の範囲】
【請求項１】
アンカーボルト点検ボックスの構造は筐体・蓋・押さえ板・取付ボルトから構成され、筐体は支持柱用ベースプレートを囲い込める寸法とする。
筐体及び蓋は２分割方式とし支持柱設置後両側から挟みこみ装着する。
筐体及び蓋は耐食性のあるもので、鋼製の場合は溶融亜鉛めっき以上の耐食性を得られるものを使用する。又、支持柱と蓋の隙間を減じるためにゴム製の押さえ板を蓋にビス止めする。
【考案の詳細な説明】
【技術分野】
【０００１】本考案は大型道路標識柱のアンカーボルト用の点検ボックスに関するものである。
【背景技術】
【０００２】  現在施工されている工法では、市街地では歩行者の安全確保及び金属の腐食防止を目的として基礎コンクリート及びアンカーボルト部分は土中に埋設するのが一般的である。
金属腐食に関しては、アンカーボルトを土中埋設していても、完全な酸化防止やボルトの緩み防止は避けられない。そのために定期的な点検が必要であるが土中埋設では作業が容易でない。
【考案の開示】
【考案が解決しようとする課題】
【０００３】バリアフリー化の実現と容易な点検作業ができる装置の提供。
【課題を解決するための手段】
【０００４】  手段として、ボックスをアンカーボルト部に設置する。
ボックスの構造はコンクリート基礎部に突出するアンカーボルト部をすべて収納できるサイズのものであり、箱型の２分割筐体を標識支持柱設置後にコンクリート基礎上面にボルト止めする。
箱型筐体上面には２分割式の蓋をビス止めし支柱との隙間防止のためにゴム製の押さえ板をビス止めする。
【考案の効果】
【０００５】  基礎コンクリートから露出しているアンカーボルトの長さに相当する深さのボックスを設置することにより、ボックス全体は土中埋設していてもボックス内は開閉式蓋によって容易にアンカーボルトを確認し点検することができる。
又、蓋上面と地表面を一致させることによりバリアフリー化が実現できる。
【考案を実施するための最良の形態】
【０００６】以下、図面に示す実施例に従って本考案の実施態様について説明する。
図１、３は大型標識２本型支持柱のアンカーボルトに鉄製ボックスを設置した図である。
標識支持柱を設置後、２分割式筐体を４箇所の取付金具でコンクリート上面にボルト止めし固定する。
筐体上面は２分割式蓋を支柱を挟み込むように取付ける。
このとき、蓋と支柱の隙間から不要な水分の滲入防止のためにゴム製の押さえ板を取付ける。
又、鉄は腐食しやすいので本実施例では溶融亜鉛めっき処理を施して、耐食性を高めている。
図２は鉄製ボックス設置断面図であるが、蓋上面と地表面が一致していることにより、段差がなく歩行者のバリアフリー化が実現できる。
又、ボックス及び蓋の素材は実施例では価格・製造難易度等から鉄製を使用しているが、状況に応じて非鉄・樹脂・コンクリート等の素材を使用することも可能である。
【産業上の利用可能性】
【０００７】  本考案は大型の標識柱に関する基礎アンカーボルトに関するものであるが、規模の小さい道路照明柱や小型の標識柱等市街地に設置される金属構造物においても応用できる。
【図面の簡単な説明】
【０００８】図１  コンクリート基礎部に鉄製ボックス取付図
図２  同上断面図
図３  鉄製ボックス部品展開図
【符号の説明】
【０００９】Ａ  コンクリート基礎
Ｂ  支持柱
Ｃ  支持柱用ベースプレート
Ｄ  支持柱用アンカーボルト
１  鉄製ボックス
２  同上用開閉式蓋
３  蓋用止めビス
４  蓋用把手
５  ゴムパッキン
６  鉄製ボックス取付金具
７  同上用取付ボルト
【図１】
0003116364.tif 000003
【図２】
0003116364.tif 000004
【図３】
0003116364.tif 000005
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
コンクリート基礎部に露出するアンカーボルトを収納し、点検するためのアンカーボルト用点検ボックスであって、
前記アンカーボルト用点検ボックスは、筐体、蓋、押さえ板及び取り付けボルトからなり、
設置するときは、前記筐体が支持柱用ベースプレートを囲い込み、前記２分割された筐体及び蓋が支持柱を両側から挟み込み、さらに、支持柱と蓋との間にゴムからなる押さえ板を蓋にビス止めして設置する
ことを特徴とするアンカーボルト用点検ボックス。
【請求項２】
前記筐体及び蓋が鉄からなるときは、溶融亜鉛メッキ以上の耐食性を得るメッキを施す
ことを特徴とする請求項１に記載のアンカーボルト用点検ボックス。
【手続補正２】
【補正対象書類名】明細書
【補正対象項目名】０００３
【補正方法】変更
【補正の内容】
【０００３】
以上の現状に鑑み、本考案は、バリアフリーを実現して、容易に点検作業ができるアンカーボルト用点検ボックスを提供することを目的とする。
【手続補正３】
【補正対象書類名】明細書
【補正対象項目名】０００４
【補正方法】変更
【補正の内容】
【０００４】
上記課題を解決すべく、本考案は、以下の構成を提供する。
請求項１に係る考案は、コンクリート基礎部に露出するアンカーボルト部を収納し、点検するためのアンカーボルト用点検ボックスであって、前記アンカーボルト用点検ボックスは、筐体、蓋、押さえ板及び取り付けボルトからなり、設置するときは、前記筐体が支持柱用ベースプレートを囲い込み、前記筐体及び蓋が支持柱を両側から挟み込み、さらに、支持柱と蓋との間にゴムからなる押さえ板を蓋にビス止めして設置することを特徴とするアンカーボルト用点検ボックスを提供するものである。
請求項２に係る考案は、請求項１に記載のアンカーボルト用点検ボックスの前記筐体及び蓋が鉄からなるときは、溶融亜鉛メッキ以上の耐食性を得るメッキを施すことを特徴とするアンカーボルト用点検ボックスを提供するものである。
【手続補正４】
【補正対象書類名】明細書
【補正対象項目名】０００５
【補正方法】変更
【補正の内容】
【０００５】
本考案により、基礎コンクリートから露出しているアンカーボルトの長さに相当する深さのボックスを設置することにより、ボックス全体は土中埋設していてもボックス内は開閉式によって容易にアンカーボルトを確認し点検することができるアンカーボルト用点検ボックスを提供することができる。
又、蓋上面と地表面を一致させることにより、バリアフリー化を実現するアンカーボルト用点検ボックスを提供することができる。
【手続補正５】
【補正対象書類名】明細書
【補正対象項目名】０００６
【補正方法】変更
【補正の内容】
【０００６】
以下、図面に示す実施例に従って本考案の実施態様について説明する。
図１は、本考案の鉄製アンカーボルト用点検ボックスをコンクリート基礎部に取り付けた状態を示す図である。図２は、図１の断面図である。図３は、本考案の鉄製アンカーボルト用点検ボックスを部品に展開した図である。
支持柱Ｂを設置した後、２分割式の鉄製ボックスである筐体１を４箇所の鉄製ボックス取付金具６でコンクリート基礎Ａ上面にボルト７止めして固定する。ここで、筐体１は、コンクリート基礎部Ａに突出する支持柱用アンカーボルトＤをすべて収納でき、支持柱用ベースプレートＣを囲い込めるサイズのものである。筐体１上面は、２分割式の蓋２で支持柱Ｂを挟み込むように取り付ける。このとき、蓋２と支持柱Ｂとの隙間から不要な水分の滲入防止のために、ゴム製の押さえ板であるゴムパッキン５を取り付ける。
又、鉄は腐食しやすいので本実施例では溶融亜鉛メッキ処理を施して、耐食性を高めている。
図２は鉄製のアンカーボルト用点検ボックスの設置断面図であるが、蓋２上面と地表面が一致していることにより、段差がなく歩行者のバリアフリー化が実現できる。
又、ボックス１及び蓋２の素材は、実施例では、価格・難易度等から鉄製を使用しているが、状況に応じて非鉄・樹脂・コンクリート等の素材を使用することも可能である。
【手続補正６】
【補正対象書類名】明細書
【補正対象項目名】０００８
【補正方法】変更
【補正の内容】
【０００８】
【図１】本考案の鉄製アンカーボルト用点検ボックスをコンクリート基礎部に取り付けた状態を示す図である。
【図２】図１の断面図である。
【図３】本考案の鉄製アンカーボルト用点検ボックスを部品に展開した図である。